(57)【要約】【課題】遊技機の設置される室内の光源を反射して、この光源よりも多くの数の光源があるかのように遊技者に感じさせることができ、且つ、省エネ、環境対策にも貢献することができる遊技機の提供を図る。【解決手段】遊技機１１の正面に設けられた窓部１５と、この窓部１５に配位されて表示が変化する可変表示部とを備え、この遊技機１１の正面に化粧板２０が配位され、この化粧板２０は、凸面鏡として光を反射する反射鏡セグメントが縦横に複数配列された曲面鏡シートと、この曲面鏡シートの正面側に積層された光調整層とを備え、上記の光調整層は、上記の化粧板の正面視において、光を通す複数の易透過部と、この易透過部よりも透光性の悪い難透過部とを備え、これらの易透過部のうち少なくとも一部は、正面視において上記の反射鏡セグメントの領域内にあり且つ反射鏡セグメントの中心よりも上方へ偏って配置されたものであることを特徴とする。  【選択図】          図２
2010158378.tif 000002
【特許請求の範囲】
【請求項１】
遊技機の正面に設けられた窓部と、この窓部に配位されて表示が変化する可変表示部とを備えた遊技機において、
この遊技機の正面に化粧板が配位され、
この化粧板は、凸面鏡として光を反射する反射鏡セグメントが縦横に複数配列された曲面鏡シートと、この曲面鏡シートの正面側に積層された光調整層とを備え、
上記の光調整層は、上記の化粧板の正面視において、光を通す複数の易透過部と、この易透過部よりも透光性の悪い難透過部とを備え、
これらの易透過部のうち少なくとも一部は、正面視において上記の反射鏡セグメントの領域内にあり且つ反射鏡セグメントの中心よりも上方へ偏って配置されたものであることを特徴とする遊技機。
【請求項２】
遊技機の正面に設けられた窓部と、この窓部に配位されて表示が変化する可変表示部とを備えた遊技機において、
この遊技機の正面に化粧板が配位され、
この化粧板は、凹面鏡として光を反射する反射鏡セグメントが縦横に複数配列された凹面鏡シートと、この凹面鏡シートの正面側に積層された光調整層とを備え、
上記の光調整層は、上記の化粧板の正面視において、光を通す複数の易透過部と、この易透過部よりも透光性の悪い難透過部とを備え、
これらの易透過部のうち少なくとも一部は、正面視において上記の反射鏡セグメントの領域内にあり且つ反射鏡セグメントの中心よりも下方へ偏って配置されたものであることを特徴とする遊技機。
【請求項３】
前記易透過部は、その正面視の大きさが、半径１．５cmの円内に収まるものであり、その光の透過率が５０％以上であることを特徴とする請求項１又は２記載の遊技機。
【請求項４】
前記の遊技機は、遊技球が転動可能な遊技領域を有する遊技盤と、上記遊技盤に設けられ遊技球が入賞可能な入賞口とを備え、前記の窓部に配位された可変表示部が上記入賞口への遊技球の入球に応じて表示が変化するパチンコ遊技機であり、
この遊技盤の少なくとも遊技領域の表面の一部が前記の化粧板によって構成され、この遊技領域にある化粧板の表面が平滑であり、
前記の反射鏡セグメントが、フレネル反射鏡の構造を備えたものであることを特徴とする請求項３に記載の遊技機。
【請求項５】
前記易透過部は、凸面鏡として光を反射する反射鏡セグメントの領域内にあるものについては上記の反射鏡セグメントの中心よりも上方へ偏位して配置されたものを備え、凹面鏡として光を反射する反射鏡セグメントの領域内にあるものについては上記の反射鏡セグメントの中心よりも下方へ偏位して配置されたものを備え、
これらの易透過部は、前記窓部より上方に配位された上方易透過部と、前記窓部より下方に配位された下方易透過部とを備え、
上記の下方易透過部のうち少なくとも一部の易透過部における上記偏位量が、上記の上方易透過部のうち少なくとも一部の易透過部における上記偏位量よりも大きいことを特徴とする請求項４記載の遊技機。
【請求項６】
前記光調整層は、前記曲面鏡シートの正面側に配位された遮光性インキ層と、この遮光性インキ層の正面側に配位された着色インキ層と、この着色インキ層の正面側に配位された透光性シート層とを備え、
上記の易透過部は、遮光性インキ層を備えておらず、
上記の難透過部は、遮光性インキ層を備えているものであることを特徴とする請求項５に記載の遊技機。
【請求項７】
前記曲面鏡シートは、透光性樹脂層と、その背面側に配位された反射層とを備えたものであり、
前記光調整層は、上記の曲面鏡シート透光性樹脂層の正面側に印刷により形成された遮光性インキ層と、この遮光性インキ層の正面側に印刷により形成された着色インキ層と、この着色インキ層の正面側に接着剤を介して積層された透光性シート層とを備え、上記の接着剤が紫外線硬化型接着剤であり、透光性シート層がＰＥＴ樹脂またはＣＡＢ樹脂製であることを特徴とする請求項５に記載の遊技機。
【発明の詳細な説明】
【技術分野】
【０００１】
本願発明は、パンチコ遊技機やスロットマシン遊技機などの遊技機の改良に関するものである。
【背景技術】
【０００２】
従来から、パンチコ遊技機やスロットマシン遊技機にあっては、遊技機正面に配置された化粧板の背面側（遊技機の筐体の内部側）に、ＬＥＤ等の発光体を設けて発光させることによって、装飾効果を高めることが行われている。また、パンチコ遊技機の設置された室内の照明を反射させることも、行われている。
【０００３】
特許文献１は、パンチコ遊技機の設置された室内の照明を反射させるようにした化粧板であり、金属箔や光フィルムによる光の反射によって、装飾効果を増すものである。ところが、金属箔や光フィルムは、全面に渡って略均一に反射をなすに止まり、一つの光源に対しては一つの反射光が得られるに止まる。そしてこの均一な反射光によって表面側の着色層に対して種々の装飾効果を与えてるように種々のデザイン上の工夫がなされたとしても、装飾効果を上げるのには限界がある。特に、ＬＥＤ照明の特徴は、直進性の良い点光源による照明にあるが、このような点発光による装飾効果と、全体が均一に反射する特許文献１の全面反射による装飾効果とは、似ても似つかないものに止まっていた。
【０００４】
特許文献２及び特許文献３にあっては、化粧板の背面側（遊技機の筐体の内部側）に設けた発光体によって、光を化粧板の全面側に透過させて装飾を行うものである。これらの文献にあっては、フレネルレンズの利用によって、装飾効果を高めることが提案されている。ところが、これら文献のフレネルレンズは、パンチコ遊技機の全体に一つの大きなレンズを配置するものであり、光源の数が増えたかのように見えるものではない。結局のところ前述の特許文献１と同様、ＬＥＤ照明のような直進性の高い点光源による装飾効果とは、異なる照明効果を発揮するものである。
【０００５】
他方、今日の地球環境問題は深刻さを増す一方であり、全ての製品において、省エネルギーを求める必要性がある。また、リサイクル促進の観点からも製品の部品点数は、極力少なくすることが求められる。このような観点からすると、遊技機にあっても、照明光源を少なくすることが望ましいものではあるが、華やかな装飾に慣れた遊技者にとって、照明光源を少なくした遊技機は、魅力の少ないものに感じてしまう。
【０００６】
【特許文献１】特開２００１−３０００３０公報
【特許文献２】特開２００４−２０１８２６公報
【特許文献３】特開２００４−２２９９０９公報
【発明の開示】
【発明が解決しようとする課題】
【０００７】
本願発明の目的は、遊技機の設置される室内の光源を反射して、この光源よりも多くの数の光源があるかのように遊技者に感じさせることができ、且つ、省エネ、環境対策にも貢献することができる遊技機の提供を図ることにある。
本願発明の他の目的は、遊技者本人に対してＬＥＤ光源に似た、点光源が装置内部に配置されているかのごとき錯覚を与えことにより、華燭性を高めることができ、且つ、省エネ、環境対策にも貢献することができる遊技機の提供を図ることにある。
【課題を解決するための手段】
【０００８】
本願発明は次の遊技機の提供をなすことによって、上記の課題を解決する。
本願の請求項１に係る遊技機にあっては、遊技機の正面に設けられた窓部と、この窓部に配位されて表示が変化する可変表示部とを備え、この遊技機の正面に化粧板が配位され、この化粧板は、凸面鏡として光を反射する反射鏡セグメントが縦横に複数配列された曲面鏡シートと、この曲面鏡シートの正面側に積層された光調整層とを備え、上記の光調整層は、上記の化粧板の正面視において、光を通す複数の易透過部と、この易透過部よりも透光性の悪い難透過部とを備え、これらの易透過部のうち少なくとも一部は、正面視において上記の反射鏡セグメントの領域内にあり且つ反射鏡セグメントの中心よりも上方へ偏って配置されたものであることを特徴とする。
本願の請求項２に遊技機にあっては、遊技機の正面に設けられた窓部と、この窓部に配位されて表示が変化する可変表示部とを備え、この遊技機の正面に化粧板が配位され、この化粧板は、凹面鏡として光を反射する反射鏡セグメントが縦横に複数配列された凹面鏡シートと、この凹面鏡シートの正面側に積層された光調整層とを備え、上記の光調整層は、上記の化粧板の正面視において、光を通す複数の易透過部と、この易透過部よりも透光性の悪い難透過部とを備え、これらの易透過部のうち少なくとも一部は、正面視において上記の反射鏡セグメントの領域内にあり且つ反射鏡セグメントの中心よりも下方へ偏って配置されたものであることを特徴とする。
【発明の効果】
【０００９】
本願発明は、遊技機正面の化粧板が、凹面鏡又は凸面鏡として光を反射する反射鏡セグメントが縦横に複数配列された曲面鏡シートと、この曲面鏡シートの正面側に積層された光調整層とを備えたものであるため、室内光源からの光を、反射鏡セグメントの数に分割して、あたかも、そのセグメント数だけの光源があるかのようにして反射させる。そして、上記の光調整層は、上記の化粧板の正面視において、光を通す複数の易透過部と、この易透過部よりも透光性の悪い難透過部とを備えるため、易透過部に該当する反射鏡セグメントの反射光のみを看者に見せることができる。これにより、遊技機の求めるデザインにマッチした反射光を選択できる。その際、光源の位置と、この光源が反射鏡セグメントの領域内に反射した像として現れる位置を考慮して配置する。即ち、易透過部を、反射鏡セグメントの領域内にあるという条件を満たしつつ、且つ反射鏡セグメントの中心よりも周辺部へ偏って配置する。これにより、遊技機正面の略中央の前方で遊技中の遊技者によって、反射した光源の像が視認される機会が高くなるものである。従って、本願発明は、遊技機の設置される室内の光源を反射して、この光源よりも多くの数の光源があるかのように遊技者に感じさせることができ、且つ、省エネ、環境対策にも貢献することができる遊技機の提供を図ることができたものである。
前記易透過部は、その正面視の大きさが、直径１．５cmの円内に収まるものであり、その光の透過率が５０％以上であることによって、点光源に近い印象を看者に与えることができる。
この化粧板を表面を平滑なものとすることによって、遊技球が走行する遊技領域においても、反射光を利用した装飾が可能となる。
前記易透過部として、凸面鏡として光を反射する反射鏡セグメントの領域内にあるものについては上記の反射鏡セグメントの中心よりも上方へ偏って配置されたものを備え、凹面鏡として光を反射する反射鏡セグメントの領域内にあるものについては上記の反射鏡セグメントの中心よりも下方へ偏って配置されたものを備え、これらの易透過部は、前記窓部より上方に配位された上方易透過部と、前記窓部より下方に配位された下方易透過部とを備え、上記の下方易透過部のうち少なくとも一部の易透過部における上記偏りが、上記の上方易透過部のうち少なくとも一部の易透過部における上記偏りよりも大きくすることによって、パチンコ遊技機の窓部が、顔面の略正面にくるような姿勢で遊技を楽しんでいる遊技者にとって、易透過部を透過して室内光源の反射光を見る可能性が高くなるものである。
上記の易透過部は、遮光性インキ層を備えておらず、上記の難透過部は、遮光性インキ層を備えているものとすることによって、より確実に易透過部と難透過部との区別が可能となり、且つ綺麗な外観の遊技機を提供することができたものである。
【発明を実施するための最良の形態】
【００１０】
以下、図面に基づき本願発明の実施の形態を説明する。
図１は本願発明の実施の形態に係る遊技機の正面図であり、図２は、同遊技機の配置説明図であり、図３は同遊技機の化粧板の断面図であり、図４は、同化粧板の透光性樹脂層の正面図である。
【００１１】
このパチンコ遊技機１１は、遊技球が転動可能な遊技領域１２を有する遊技台１３と、上記遊技台１３に設けられ遊技球が入賞可能な入賞口１４と、遊技台１３の略中央に配置された窓部１５とを備え、この窓部１５に可変表示部１６が配位されている。この可変表示部１６は、入賞口１４への遊技球の入球に応じて表示が変化するもので、液晶表示などの光学的表示の他、回転ドラムの回転等による機械的動きによって表示が変化するものであってもよい。
【００１２】
この遊技台１３の少なくとも遊技領域１２の表面は、窓部１５などを除いて化粧板２０によって構成されている。この化粧板２０は、図３に示すように、合板などの支持板３１の表面に接着剤３２を介して貼り付けている。
【００１３】
この化粧板２０は、背面側から正面側に向けて（図３の右から左に向けて）、台紙２１、接着剤２２、反射層２３、透光性樹脂層２４、遮光性インキ層２５、着色インキ層２６、接着剤２７、透光性シート層２８の順に積層されている。
台紙２１は、紙製などの適宜材質で形成され、支持板３１への接着性を良好にするために設けられたものであり、省略して実施することもできる。
【００１４】
この台紙２１の正面側に、反射層２３と透光性樹脂層２４からなる曲面鏡シート２９が、接着剤２２を介して貼り付けられている。この透光性樹脂層２４は、背面側がフレネルレンズ構造を有するもので、その背面にアルミニウム等の金属膜による反射層２３が、蒸着などにより形成されている。この反射層２３は、後述する構造によって凸面鏡として機能するフレネル構造の反射面となっている。その結果、透光性樹脂層２４の正面側から入射した光は、反射層２３によって反射される。その際反射層２３の傾斜角度によって、所定の角度で反射される。
【００１５】
この透光性樹脂層２４の正面側には、光調整層３０が形成されている。光調整層３０は、遮光性インキ層２５と着色インキ層２６とを備える。まず、透光性樹脂層２４の正面側に遮光性インキ層２５が印刷等によって形成され、遮光性インキ層２５の正面側に着色インキ層２６が印刷等によって形成される。そして、この光調整層３０の正面側に透光性シート層２８が、接着剤２７を介して接着されている。この透光性シート層２８には透光性があればよいが、特には好ましくはＰＥＴ樹脂またはＣＡＢ樹脂が用いられる。遊技領域１２における透光性シート層２８の正面側（表面）は、パチンコの遊技球が転がるため、高い平滑性と強度と耐久性が要求される。そのため、ＰＥＴ（ポリエチレンテレフタレート)樹脂、ＣＡＢ（セルロースアセテートブチレート）樹脂がその条件を満たすものとして好んで用いられるが、ポリカーボネイト樹脂などの他の材質の樹脂に変更して実施することもできる。接着剤２７については、透光性シート層２８の種類と、遮光性インキ層２５、遮光性インキ層２５及び着色インキ層２６との種類に応じて、接着性を考慮して、エポキシ接着剤、紫外線硬化型接着剤等、透光性を有する接着剤を適宜選択して用いることができる。
【００１６】
以上が層構造の概要であるが、曲面鏡シート２９について、さらに詳細に説明する。
曲面鏡シート２９は、前述のように、反射層２３と透光性樹脂層２４とを備えたものであるが、この曲面鏡シート２９により形成される反射鏡は一つではなく、複数（多数）の反射鏡が形成される。
【００１７】
この透光性樹脂層２４は、透光性を有する透明又は半透明の樹脂シートで、その背面側には、フレネルレンズ状の凹凸パターンａ１が形成されている（図４参照）。この凹凸パターンａ１は、曲面鏡シート２９の正面視において、縦及び横に複数が配列されているものであり、具体的には、正面視正方形状の同一形状同一大きさの凹凸パターンａ１が曲面鏡シート２９の縦横に隙間なく配列されているものである。即ち、凹凸パターンａ１は、図４の例では、４つの頂点ａ２、ａ３、ａ４、ａ５で規定される正方形となるが、この凹凸パターンａ１の形状は正方形以外の多角形や円形や楕円形や不定形など、反射鏡が形成できるものであることを条件に変更して実施し得る。また凹凸パターンａ１の配列は、斜め方向に配列してもよく、隙間を設けて配列してもよい。また規則的に配列してもよいし、不規則に配列してもよい。要は、曲面鏡シート２９の正面視において、複数個（望ましくは１０個以上）配列されればよい。
【００１８】
また凹凸パターンａ１は、所定の屈曲角を持った複数の凹凸面が環状に形成されたものであり、全体として一枚の凹レンズが形成される。これらの環状の凹凸面は共通の中心ａ６を有するものであり、望ましくは、同心円状の真円形とするが、多少の誤差は許容されるものであり、また、綺麗なレンズ状となる必要はないため、意図的に曲率を調整したり、全体を円形以外の楕円形や多角形としてもよい。また、凹凸パターンａ１は全て同一パターンであっても良いが、焦点距離、光軸の位置（偏心）等が異なる複数種のパターンを併用することもできる。また連続曲面を有する一枚のレンズ状のものに変更して実施することもできるが、この場合には、正面視の大きさに比して、厚みが大きくなりすぎるため、フレネルレンズ状のものが望ましい。なお、一枚のレンズ状のものや、平面鏡のもの、凸レンズ状のものを混在させることを排除するものではない。
【００１９】
１つの凹凸パターンａ１の区画の大きさは、化粧板２０の全体において、幾つの反射発光部分を形成するかによって決定することができる。例えば、１台のパチンコ遊技機１１における化粧板２０の大きさは、６０cm×５０cm程度であり、これに複数の反射発光部分を形成するには、凹凸パターンａ１の中心間の距離が１０〜４００ｍｍ程度となる様に設計することが望ましい。１０ｍｍよりも小さいと、個々の区画の反射像が小さすぎて十分な反射光を得にくく、他方、４００ｍｍよりも大きいと、反射光の個数が少なく、デザイン上での制限が多くなってしまう。また、レンズの焦点距離（但し、反射層２３による凸面鏡又は凹面鏡としての焦点距離をいう。以下同じ）は適宜設定することができるが、２〜１００ｍｍ程度とすることが望ましい。
【００２０】
なお、区画の最大長さや焦点距離の異なる複数種のフレネルレンズ状凹凸パターンを混在させる場合には、区画の最大長さ、焦点距離又は両者の関係が上記範囲外であるフレネルレンズ状凹凸パターンの区画が混在していてもよい。
【００２１】
この凹凸パターンａ１を備えた透光性樹脂層２４の製法としては、特に限定されるものではなく、２Ｐ（Ｐｈｏｔｏ−ｐｏｌｙｍｅｒ）法やプレス法等の適宜方法によることができものである。重要なことは、次に述べる反射層２３を確実に形成でき、且つ、透明性を備えたものであればよい。なお、透光性樹脂層２４は、完全な透明である必要はなく、着色されてあっても２５％以上、望ましくは５０％以上の透光性を有するものであればよい。
【００２２】
次に反射層２３は金属光沢を備えた反射面として上述の透光性樹脂層２４の背面に形成されるもので、例えば金、銀、アルミニウム、ニッケル、クロム等の金属を、真空蒸着法、スパッタリング法、イオンプレーティング法等の真空製膜法により膜厚光調整層３０〜光調整層３００ｎｍ程度に製膜して形成することができる。これ以外には、金属状光沢を与える誘電体膜（特に多層膜）等でも良く、無電解メッキ法や、金属光沢塗料の塗布など適宜選択できる。反射鏡としての構成は、この反射層２３のみがあれば足りるものであり、透光性樹脂層２４を設けずに実施することも排除するものではない。但し、反射層２３を経済的に量産するには、透光性樹脂層２４の背面側に形成することが望ましい。即ち、この反射層２３を透光性樹脂層２４の背面側に形成することにより、透光性樹脂層２４の凹凸パターンａ１に沿った反射層２３が形成され、それぞれの凹凸パターンａ１に対応した反射鏡セグメントが形成されるものであり、正面視においてａ２、ａ３、ａ４、ａ５の各頂点で規定される正方形が一つの反射鏡セグメントの領域となる。ここで、一つの凹凸パターンａ１が凸レンズである場合には、反射層２３における凹凸パターンａ１に対応した反射鏡セグメントは凹面鏡として形成され、凹凸パターンａ１が凹レンズである場合には、反射層２３における凹凸パターンａ１に対応した反射鏡セグメントは凸面鏡として形成される。
【００２３】
光調整層３０は、化粧板２０の意匠的装飾をなすものであり、遮光性インキ層２５、着色インキ層２６等の少なくとも一層の着色層を形成するもので、その形成方法としては、例えばオフセット印刷法、グラビア印刷法、スクリーン印刷法、ステンシル印刷法、インクジェット印刷法等の各種印刷法や、スプレー塗装法等の各種塗装法、箔押（転写）法、手描き法、フィルムマーキング法等、任意の手法によることができる。図柄の種類は、文字、記号、写真、イラスト、幾何学紋様等、又はそれらの組み合わせ等、適宜選択して実施することができる。遮光性インキ層２５は、前述の曲面鏡シート２９の表面側に着色インキ層２６に先立って配置される。この遮光性インキ層２５には、非透光性のインキを用いることが望ましい。その色彩は自由であるが、遮光性インキ層２５の上に配置される着色インキ層２６の色彩を綺麗に表現するためには、白色や乳白色などの薄い色で均一に着色することが望ましい。着色インキ層２６は、化粧板２０の図柄を表現するもので、今日にあっては、多くの色彩で華麗なデザインが表現される。なお、この遮光性インキ層２５と着色インキ層２６とは、全体のデザインを効果的になすために自由に選択して用いることができる。これは、遮光性インキ層２５を印刷した後に、着色インキ層２６を印刷するが、その図柄によっては遮光性インキ層２５及び着色インキ層２６が施されない箇所が生ずるため、想定される層の組合せは、下記のものとなる。なお、遮光性インキ層２５及び着色インキ層２６のインキの種類は特に限定されるものではなく、インキの色や濃度、着色率、網かけのドット数などによって、全体として所望の透光率を得ることができればよい。
【００２４】
（１）曲面鏡シート２９の表面側に遮光性インキ層２５が配位され、この遮光性インキ層２５の表面側に着色インキ層２６が配位される。
（２）曲面鏡シート２９の表面側に遮光性インキ層２５が配位されるに止まり、着色インキ層２６が配位されない。
（３）曲面鏡シート２９の表面側に遮光性インキ層２５が配位されずに、着色インキ層２６が配位される。
（４）曲面鏡シート２９の表面側に遮光性インキ層２５、着色インキ層２６の何れもが配位されない。
【００２５】
ここで本願発明において最も重要な目的は、遊技機の設置される室内の光源を反射して、この光源よりも多くの数の光源があるかのように遊技者に感じさせることができるようにすることにある。具体的には、図１に示すように、遊技室内の一つの光源４１からの光を、２箇所以上の第１反射点４２、第２反射点４３で反射させ、遊技者４４の目に届かせることにある。より望ましくは、光源４１が線光源であったとしても点光源であったとしても、遊技者４４には、ＬＥＤランプに似た点光源であるかのように感じさせるようにする。
【００２６】
図５を参照しつつ、より具体的に説明する。図５（Ａ）は、図の右側の曲面鏡シート２９の上に、図の左側の光調整層３０を配位した構造を説明するものである。この曲面鏡シート２９は、多数の凹凸パターンａ１とこれに対応する反射鏡セグメントを有するものであり、この凹凸パターンａ１による反射鏡セグメントの一つ一つが独立した曲面鏡として光源からの光を反射する。
【００２７】
図５（Ａ）の右側の曲面鏡シート２９では、２０個の凹凸パターンａ１があるため、一つの光源であっても、２０個の光源の虚像が反射によって視認できるものである。図５（Ａ）の左側の光調整層３０は、この曲面鏡シート２９の反射光を、易透過部４５と難透過部４６とによって調整することによって、看者（遊技者）に対して視覚的な演出を行う。この易透過部４５と難透過部４６は、上記の（１）〜（４）の組合せによって、化粧板２０の全体に渡って自由に行うことができるが、図５（Ａ）の中央上部の易透過部４５と中央下部の易透過部４５とを例にとって説明する。上下の両易透過部４５は、曲面鏡シート２９の中央上部の凹凸パターン１ａと、中央下部の凹凸パターン１ａとにそれぞれ対応して、その領域内に形成されたものであり、中央上部の凹凸パターン１ａによる反射鏡セグメントから反射した光源の虚像は、中央上部の易透過部４５を通って、また、中央下部の凹凸パターン１ａによる反射鏡セグメントから反射した光源の虚像は、中央下部の易透過部４５を通って、遊技者の目に届くことによって、遊戯者は、２個の光源が化粧板２０の裏側に配位されているかの如き錯覚を覚えるものである。
【００２８】
図５（Ｂ）は、中央上部の易透過部４５と中央上部の凹凸パターン１ａを示すもので、図５（Ｂ）の右側に示す中央上部の凹凸パターン１ａの上（正面側）に、図５（Ｂ）の中央に示す遮光性インキ層２５を形成する。このとき、易透過部４５には、遮光性インキ層２５が形成されないか、或いは印刷のドット数を少なくすることによって、透過性が高い状態とし、その周囲の難透過部４６に遮光性インキ層２５が塗布さる。その上（正面側）に、図５（Ｂ）の左側に示す着色インキ層２６を形成する。このとき、易透過部４５には、着色インキ層２６が塗布されないか、塗布しても比較的薄い色の着色に止めるか、或いは、着色のドット数を少なくすることによって、易透過部４５を形成する。なお、着色インキ層２６により種々の模様が形成されるため、易透過部４５以外についても、着色を施さない部分や薄い色の着色を施す部分が形成されることになる。また、図５（Ｂ）の中央に示す遮光性インキ層２５を形成することなく、着色インキ層２６の色の濃淡やドット数によって、易透過部４５と難透過部４６とを形成するようにしてもよい。
【００２９】
図５（Ｃ）は、中央下部の易透過部４５と中央下部の凹凸パターン１ａを示すもので、図５（Ｂ）と実質的に同じであるが、易透過部４５が形成される位置が、凹凸パターンａ１の中心ａ６よりも遠い位置にある点（距離ｘが長い点）が相違する。
これは、前述のとおり、遊技室内の一つの光源４１からの光を、２箇所以上の第１反射点４２、第２反射点４３で反射させた場合に、両反射点４２、４３からの光を遊技者４４の目に届かせるためのものであり、そのためにこの実施の形態にあっては、下記の構成を採用する。
【００３０】
（１）上記の光調整層３０は、正面視において、光を通す複数の易透過部４５と、この易透過部４５よりも透光性の悪い難透過部４６とを備える。
この易透過部４５は、装飾用シート材１１の厚み全体において、２５％以上、望ましくは５０％以上の透光率を有することが望ましく、より望ましくは８０％以上とする。
他方、難透過部４６は、易透過部４５よりも低い透光性を有するもので、５０％未満の透光率を有するものとすることが望ましく、２５％未満とすることがより望ましい。
易透過部４５は、その厚み方向において遮光性インキ層２５を含まないものであり、最も強い反射光を得るためには、着色インキ層２６も含まないものとする。但し、着色インキ層２６層を含むものであっても、透明（着色透明又は半透明等を含む）な印刷インキによる印刷部分であってもよい。また、網点により濃淡諧調を表現した印刷物の場合には、不透明な印刷インキのみを使用した場合であっても、単位面積当たりの平均の透光率が５０％以上あればよい。
【００３１】
（２）ＬＥＤランプに似た点光源であるかのように感じさせるようにするには、易透過部４５の周囲を難透過部４６で取り囲み、易透過部４５のみが実質的に光源の光を反射するようにする。そして、この易透過部４５の大きさを、半径１．５cmの円内に収まるものとし、より望ましくは、直径１．５cmの円内に収まるものとする。他方、余りに易透過部４５の大きさが小さいと、反射光が弱く感じるため、直径０．３cmの円をはみ出す大きさとすることが望ましい。
【００３２】
（３）上記のように易透過部４５の大きさを小さく設定すると、着席して遊技を行う遊技者４４の目に対して、光源４１からの反射光が入らなくなる可能性が高くなる。従って、この実施の形態にあっては、反射鏡セグメントが凸面鏡である場合、易透過部４５は、光調整層３０の正面視において上記の反射鏡セグメントのａ２、ａ３、ａ４、ａ５ｄで規定される領域内にあり且つ反射鏡セグメントの中心ａ６よりも上方へ偏って配置する。他方、反射鏡セグメントが凹面鏡である場合、易透過部４５は、光調整層３０の正面視において上記の反射鏡セグメントのａ２、ａ３、ａ４、ａ５ｄで規定される領域内にあり且つ反射鏡セグメントの中心ａ６よりも下方へ偏って配置する。
化粧板２０と、遊技者４４の位置と、室内の天井に配位される光源４１の位置とを比較すると、光源４１の位置が化粧板２０上の第１反射点４２や第２反射点４３よりも高く、且つ、遊技者４４よりも高い。そのため、遊技者４４からは、各反射鏡セグメントにおける光源の虚像は、凸面鏡である場合には反射鏡セグメントの中心ａ６より上方に現れ、凹面鏡である場合には反射鏡セグメントの中心ａ６より下方に現れる。よって、光源４１からの強い反射光をあたかも点光源であるかのように遊技者４４に視認させるには、反射光セグメントの中心ａ６より、凸面鏡であれば上方に、凹面鏡であれば下方に、易透過部４５を配位形成する。
【００３３】
（４）図２に示す第１反射点４２がパチンコ遊技機１１の窓部１５よりも上方に配位され、第２反射点４３が窓部１５よりも下方に配位されている場合、その正面側前方に配位される易透過部４５（第１反射点４２前方の易透過部４５を上方易透過部といい、第２反射点４３前方の易透過部４５を下方易透過部という）とすると、中心からの偏位量ｘは、第２反射点４３の前方の下方易透過部４５の方が、第１反射点４２前方の上方易透過部４５よりも大きく設定する。即ち、凸面鏡の場合、上方に位置する反射鏡セグメントにおける中心ａ６からの易透過部４５の位置の方が低く、下方に位置する反射鏡セグメントにおける中心ａ６からの易透過部４５の位置の方が高くする。これにより、遊技中の遊技者４４の目には、光源４１からの光が第１反射点４２、第２反射点４３の２箇所で反射して、視認されることになる。個人差やパチンコ遊技機１１の種類によって様々ではあるが、多くのパチンコ遊技機１１の窓部１５は、多くの成人には顔面の正面に位置するように配置されており、上方易透過部４５は、顔面よりも高い位置に、下方易透過部４５は顔面よりも低い位置になる場合が多い。そこで、下方易透過部４５の偏位量ｘを、上方易透過部４５の偏位量ｘよりも大きく設定することによって、反射角度が調整されて、遊技中の遊技者４４の目には上下双方の易透過部４５を通過した反射光が入ることになる。
【００３４】
以上、本願発明は請求項の記載の範囲内で適宜変更して実施することができるものであり、例えば、光調整層３０は、曲面鏡シート２９の正面側に直接形成しても良いし、実質的に透明な他の層を介して形成しても良い。また、透光性シート層２８は、一層であってもよく、複数層であってもよい。左右方向においても、反射鏡セグメントにおける易透過部４５の位置を左右に偏位させておくことも出来るが、パチンコ遊技機１１の左右幅は上下幅よりも小さく、また、光源が左右いずれの位置に位置するかを特定することは困難であり、また、遊技者もパチンコ遊技機１１の中央、右寄り、左寄り、様々な位置で遊技するため、左右の調整は上下の調整ほど厳密に行う必要はない。また、全ての易透過部４５を上記のように配位する必要はなく、例えば、一部の易透過部４５については、凸面鏡にあっても反射鏡セグメントの下方に設けてもよく、凹面鏡にあっても反射鏡セグメントの上方に設けてもよい。望ましい易透過部４５の大きさは、上記の通りであるが、半径１．５cmの円内におさまらないものを含んで実施することもできる。
【実施例】
【００３５】
以下、本願発明の実施例を示すが、本願発明はこの実施例に限定して理解されるべきではない。
曲面鏡シート２９として、焦点距離１０ｍｍの凸面鏡のフレネル反射鏡の構造を備えた反射鏡セグメントを縦方向と横方向に連続して形成したものを用い、この曲面鏡シート２９の正面側に遮光性インキ層２５と着色インキ層２６との印刷を施すことによって、易透過部４５と難透過部４６とを形成した。難透過部４６の部分は、遮光性インキ層２５をシルク印刷で形成し、これの表面に、着色インキ層２６をオフセット印刷で形成した。易透過部４５の部分については、遮光性インキ層２５を印刷せず、着色インキ層２６をオフセット印刷で形成した。易透過部４５の大きさを直径８mmの円として実施し、易透過部４５の位置を変化させると共に、偏位量を変化させたものについて観察者による視認試験を行い、その結果を実施例１〜３０として表１に示した。また、易透過部４５の大きさを直径２０mmの円として実施し、易透過部４５の位置を変化させると共に、偏位量を変化させたものつにいて、実施例３１〜４８として表２に示した。観察者の目の位置は、地上１０cmとし、曲面鏡シート２９から水平距離で５０cm離れた。光源は、全長１２０cmの直管球の蛍光灯を、地上２２０cmで観察者の真後ろに前後方向に位置させたものであり、観察者の目と光源との水平距離は、蛍光灯前端で５０cm、後端で１７０cmである。
【００３６】
表中、目の位置からの高さとは、易透過部４５の中心を、観察者の顔の左右中央であって、目の位置からの高さを変化させものを調べたもので、「０mm」は易透過部４５の中心を目の位置と同じ高さとしたもの、「＋１００mm」「＋３００mm」は、易透過部４５の中心を目の位置より１００mm、３００mmそれぞれ高い位置に配位したもの、「−１００mm」「−３００mm」は、易透過部４５の中心を目の位置よりそれぞれ１００mm、３００mm低い位置に配位したものを示す。偏位量は、易透過部４５の中心を反射鏡セグメントの中心から偏位させた長さを示すもので、「０mm」は易透過部４５の中心を反射鏡セグメントの中心の位置と同じ高さとしたもの、「４mm」「７mm」「１０mm」「１２mm」は、易透過部４５の中心を反射鏡セグメントの中心の位置より、それぞれ４mm、７mm、１０mm、１２mm、高い位置に配位したもの、「−３mm」は、３mm低い位置に配位したものである。評価は、観察者が反射光を感じることができたか否かを示すもので、「〇」は「光源からの明るい反射光を感じた」、「△」は「光源からの反射光を感じた」、「×」は「実質的に光源からの反射光を感じなかった」を示すものである。
【００３７】
【表１】
2010158378.tif 000003
【００３８】
【表２】
2010158378.tif 000004
【００３９】
以上の実施例により、遊技室内の一つの光源４１からの光を、上下位置の異なる２箇所以上の反射点で反射させ、これらの複数箇所の反射光を遊技者４４の目に届かせることが可能であることが確認されたものである。
【図面の簡単な説明】
【００４０】
【図１】本願発明の実施の形態に係る遊技機の正面図である。
【図２】同遊技機の配置説明図である。
【図３】同遊技機の化粧板の断面図である。
【図４】同化粧板の透光性樹脂層の正面図である。
【図５】同化粧板の曲面鏡シートと光調整層と層構造の説明図であり、（Ａ）は全体の説明図であり、（Ｂ）第１反射点の説明図であり、（Ｃ）と第２反射点の説明図である。
【符号の説明】
【００４１】
１１  パチンコ遊技機
１２  遊技領域
１３  遊技台
１４  入賞口
１５  窓部
１６  可変表示部
２０  化粧板
２１  台紙
２２  接着剤
２３  反射層
２４  透光性樹脂層
２５  遮光性インキ層
２６  着色インキ層
２７  接着剤
２８  透光性シート層
２９  曲面鏡シート
３０  光調整層
３１  支持板
３２  接着剤
４１  光源
４２  第１反射点
４３  第２反射点
４４  遊技者
４５  易透過部
４６  難透過部
ａ１  凹凸パターン
ａ６  中心
ｘ    変位量
【図１】
2010158378.tif 000005
【図２】
2010158378.tif 000006
【図３】
2010158378.tif 000007
【図４】
2010158378.tif 000008
【図５】
2010158378.tif 000009